(57)【要約】【課題】構成が簡単で安価なクラゲ捕集回収装置を提供する。さらに既存のクラゲ捕集回収設備にも適用可能なクラゲ捕集回収装置を提供する。【解決手段】カーテンウオール３０を有する取水口に設置し使用するクラゲ捕集回収装置１であって、該カーテンウオール３０内に設置された海水中に浮遊するクラゲを捕集可能な内部が空洞で円錐形状の捕集網１０と、該円錐形状の捕集網１０の頂部１１と吸入部２２を連結するクラゲを移送可能な移送ポンプ２０と、該移送ポンプ２０を支持可能な該移送ポンプ２０に取り付けられたフロート２１と、一端を陸上又は海上固定物８０に固定し、他端を該移送ポンプ２０に固定する紐状体７０と、を備え、該捕集網１０は、該円錐の底面部側端部１２が該カーテンウオール３０及び／又はカーテンウオール３０を支持する橋脚５０に固定されている。【選択図】図１
2007205040.tif 000002
【特許請求の範囲】
【請求項１】
カーテンウオールを有する取水口に設置し使用するクラゲ捕集回収装置であって、
該カーテンウオール内に設置された海水中に浮遊するクラゲを捕集可能な内部が空洞で円錐形状の捕集網と、
該円錐形状の捕集網の頂部と吸入部を連結するクラゲを移送可能な移送ポンプと、
該移送ポンプを支持可能な該移送ポンプに取り付けられたフロートと、
一端を陸上又は海上固定物に固定し、他端を該移送ポンプに固定する紐状体と、を備え、
該捕集網は、該円錐の底面部側端部が該カーテンウオール及び／又はカーテンウオールを支持する橋脚に固定されていることを特徴とするクラゲ捕集回収装置。
【請求項２】
前記捕集網は、前記取水口における海水の取り込み方向に沿って設置され、前記捕集網の頂部が海水の取り込み方向の下流側に設置されていることを特徴とする請求項１に記載のクラゲ捕集回収装置。
【請求項３】
前記捕集網は、捕集網を構成する糸のうち円錐の母線に交差する糸の本数が、円錐の母線方向の糸の本数に比較して少ないことを特徴とする請求項１に記載のクラゲ捕集回収装置。
【請求項４】
前記紐状体は、伸縮可能な弾性体を介して前記陸上又は前記海上固定物、又は前記移送ポンプと固定されていることを特徴とする請求項１に記載のクラゲ捕集回収装置。
【請求項５】
請求項１から４のいずれか１のクラゲ捕集回収装置と、
さらに該クラゲ捕集回収装置の下流側であって取水路の入口部近傍に設けられた除塵装置と、
を含むことを特徴とするクラゲ捕集回収装置。
【発明の詳細な説明】
【技術分野】
【０００１】
本発明は、海水を取水する取水口近傍において海水とともに流入するクラゲを捕集し回収するクラゲ捕集回収処理装置に関する。
【背景技術】
【０００２】
発電所では、蒸気を冷却するために多量の海水を使用している。この海水は、発電所近傍の海から取水路を通じて海水ポンプで取水される。この海水は冷却水として使用されるため温度が低いことが望ましく、取水口入口には深層から取水するためにカーテンウオールが設置されている。また海水に浮遊する大きな浮遊物が取水路に流入することを防止するため、取水口入口部には固定スクリーンが設けられる。
【０００３】
海水に含まれる大きな浮遊物は、固定スクリーンで除去できるが、海水中のクラゲはこの固定スクリーンで除去されず、取水路に入り込むことがある。クラゲが取水路に入り込むと、取水量が減少するなどの支障が生じるため、クラゲが取水口に流入することを防止する対策が取られる。クラゲが取水口に流入することを防止方法としては、次のような方法がある。取水口前面に網を設け、この網でクラゲを捕集し、水流発生器を用いて水流を発生させ、この水流で捕集したクラゲを取水口から遠ざける。またクラゲ流入防止用のネットを取水口に設置し、ネットにクラゲが張り付いたときネットを動かすことでクラゲを除去する方法も開発されている（例えば特許文献１参照）。
【０００４】
このほか取水路入口近傍に、クラゲを捕集回収するためロータリースクリーンなどの除塵装置を備えつける方法もある。この方法は、海水中のクラゲを、スクリーンを用いて回収するものであるが、多量のクラゲが一度に到来すると、回収したクラゲを移送する能力を超えてしまう場合がある。クラゲの捕集量がクラゲの移送能力を上回る場合は、せっかく回収されたクラゲは再度取水路に戻るため、最終的にはクラゲがスクリーンを塞ぎ、取水量が低下し発電所の運転に支障をきたす。このためこれを解決するためのいくつかの方法が提案されている。
【０００５】
多量のクラゲが到来すると、スクリーンが目詰まりを起こし、スクリーン前後に水位差が生じる。これを利用して、スクリーン前後の水位を検出して、水位が所定の値を超えるとスクリーンを稼動させるととともに、除塵バケット内のクラゲを吸引装置で吸引する技術が開発されている（例えば特許文献２参照）。同様に、エゼクタを利用して回収したクラゲを移送する方法も開発されている（例えば特許文献３参照）。ともに移送能力を高めることで、クラゲの回収能力を大きくするものである。
【特許文献１】特開２００１−１０７３４４号公報
【特許文献２】特開２００４−２３２３７９号公報
【特許文献３】特開２００１−３２９５２２号公報
【発明の開示】
【発明が解決しようとする課題】
【０００６】
特許文献１の技術は、一時的にはクラゲを網から遠ざけることはできるが、長期的には、網にクラゲが張り付き、最終的には取水に支障をきたす。また特許文献２の記載の技術は、多量のクラゲが到来すると、スクリーンが目詰まりを起こし、スクリーン前後に水位差が生じるため、水位を検出して、スクリーンを稼動させるととともに、除塵バケット内のクラゲを吸引装置で吸引する。クラゲの移送能力を高めることで、クラゲの処理量を大きくしようとするものであるが、ロータリースクリーンの捕集能力を超えてクラゲが到来した場合には対処できない。
【０００７】
特許文献３に記載の技術も特許文献２に記載の技術と同じ課題を有する。もちろんクラゲの到来量の設定値を大きくして、除塵装置の仕様に余裕を持たせれば対処可能であるが、設備費が高くなり、装置も大型化してしまう。異常値にあわせて装置の仕様を設定すると、通常値の場合は装置の大部分が遊んでしまう事態も生じる。さらに既設の装置を改良することなく、多量のクラゲが到来した場合であっても対処できる手法でなければ、既存の捕集回収設備にあっては、クラゲの処理を人力に頼ることとなってしまう。またクラゲの捕集回収には、ロータリースクリーンなどのように大型の捕集回収装置のほか、コンパクトで安価にクラゲを捕集回収可能な装置も求められている。
【０００８】
本発明の目的は、構成が簡単で安価なクラゲ捕集回収装置を提供することにある。さらに既存のクラゲ捕集回収設備にも適用可能なクラゲ捕集回収装置を提供することを目的とする。
【課題を解決するための手段】
【０００９】
本発明は、カーテンウオールを有する取水口に設置し使用するクラゲ捕集回収装置であって、
該カーテンウオール内に設置された海水中に浮遊するクラゲを捕集可能な内部が空洞で円錐形状の捕集網と、
該円錐形状の捕集網の頂部と吸入部を連結するクラゲを移送可能な移送ポンプと、
該移送ポンプを支持可能な該移送ポンプに取り付けられたフロートと、
一端を陸上又は海上固定物に固定し、他端を該移送ポンプに固定する紐状体と、を備え、
該捕集網は、該円錐の底面部側端部が該カーテンウオール及び／又はカーテンウオールを支持する橋脚に固定されていることを特徴とするクラゲ捕集回収装置である。
【００１０】
また本発明で、前記捕集網は、前記取水口における海水の取り込み方向に沿って設置され、前記捕集網の頂部が海水の取り込み方向の下流側に設置されていることを特徴とする請求項１に記載のクラゲ捕集回収装置である。
【００１１】
また本発明で、前記捕集網は、捕集網を構成する糸のうち円錐の母線に交差する糸の本数が、円錐の母線方向の糸の本数に比較して少ないことを特徴とする請求項１に記載のクラゲ捕集回収装置である。
【００１２】
また本発明で、前記紐状体は、伸縮可能な弾性体を介して前記陸上又は前記海上固定物、又は前記移送ポンプと固定されていることを特徴とする請求項１に記載のクラゲ捕集回収装置である。
【００１３】
また本発明は、請求項１から４のいずれか１のクラゲ捕集回収装置と、
さらに該クラゲ捕集回収装置の下流側であって取水路の入口部近傍に設けられた除塵装置と、
を含むことを特徴とするクラゲ捕集回収装置である。
【発明の効果】
【００１４】
本発明のクラゲ捕集回収装置は、カーテンウオールを有する取水口に設置し使用するクラゲ捕集回収装置であって、カーテンウオール内に設置された海水中に浮遊するクラゲを捕集可能な内部が空洞で円錐形状の捕集網と、円錐形状の捕集網の頂部と吸入部を連結するクラゲを移送可能な移送ポンプと、移送ポンプを支持可能な移送ポンプに取り付けられたフロートと、一端を陸上又は海上固定物に固定し、他端を移送ポンプに固定する紐状体と、を備え、捕集網は、円錐の底面部側端部がカーテンウオール及び／又はカーテンウオールを支持する橋脚に固定されているので、構成が簡単であり安価に製作することができる。
【００１５】
特に、捕集網が円錐形状に取り付けられ、さらに円錐形状の網の頂部にポンプの吸入部が連結するので、ポンプが海水を吸入することで海水に流れが生じる。この海水の流れにのってクラゲが移動するため容易にクラゲをポンプへ導くことが可能となり、効率的にクラゲを捕集回収することができる。また、ポンプが装着されているので、捕集したクラゲを簡単に、大量に移送させることができる。
【００１６】
また本発明によれば、捕集網は、取水口における海水の取り込み方向に沿って設置され、捕集網の頂部が海水の取り込み方向の下流側に設置されているので、海水の流れにのってクラゲが捕集網に入りやすい。これにより効率的にクラゲを捕集回収することができる。
【００１７】
また本発明によれば、捕集網は、捕集網を構成する糸のうち円錐の母線に交差する糸の本数が、円錐の母線方向の糸の本数に比較して少ないので、捕集網内でのクラゲの移動を妨げない。よって捕集網に取り込まれたクラゲは、スムーズに移送ポンプ吸入部に移動する。
【００１８】
また本発明によれば、紐状体は、伸縮可能な弾性体を介して陸上又は海上固定物、又は移送ポンプと固定されているので、潮位が変動してもポンプは、海水面に対してほぼ一定の位置を保持することができる。このように本発明のクラゲ捕集回収装置は、潮位が変動する場合であっても、適切に対応することができる。
【００１９】
また本発明のクラゲ捕集回収装置は、請求項１から４のいずれか１のクラゲ捕集回収装置と、さらにクラゲ捕集回収装置の下流側であって取水路の入口部近傍に設けられた除塵装置と、を含むので、クラゲ捕集回収性能が増大する。また請求項１から４のいずれか１のクラゲ捕集回収装置は、容易に既存のクラゲ捕集回収装置に取り付けることが可能であり、請求項１から４のいずれか１のクラゲ捕集回収装置を、既存のクラゲ捕集回収装置の補助装置として機能させることができる。
【発明を実施するための最良の形態】
【００２０】
図１は本発明の実施の一形態としてのクラゲ捕集回収装置１の概略的構成を示す側面図である。クラゲ捕集回収装置１は、クラゲを捕集するための捕集網１０と捕集したクラゲを移送するための移送ポンプ２０を主に構成されている。なお、図１は、本発明の概略的構成を示す図であり、すべてが同一の縮尺で記載されているわけではない。
【００２１】
捕集網１０は、内部が空洞で円錐形状を有し、カーテンウオール３０内に海水の取り込み方向に沿って、円錐の頂部１１が下流側となるように設置されている。捕集網の大半は海水中に位置している。捕集網１０は、クラゲを捕集可能で海水を容易に通過可能な機能を有する網であればよく、例えば魚網が例示される。捕集網１０の目開きの大きさは、クラゲの大きさにあわせて選定すればよい。また、捕集網１０は、捕集したクラゲがスムーズに円錐の頂部１１に移動可能な網であればより好ましい。これについては後述する。
【００２２】
捕集網１０の設置は、次のように行うことができる。カーテンウオール３０と移送ポンプ２０との間に捕集網１０を支持、補強するための紐状体４０を張る。同様にカーテンウオール３０を支持する橋脚５０と移送ポンプ２０との間にも捕集網１０を支持、補強するための紐状体６０を張る。この紐状体４０、６０は、捕集網１０を支持、補強するためのものであるから、捕集網１０の形状に合わせて、側面視において横Ｖ字状に張る。紐状体４０、６０としては、金属製、又は樹脂製のワイヤ、ロープなど使用することができる。
【００２３】
この紐状体４０、６０に捕集網１０を固定するとともに、捕集網１０の底面部１２側の捕集網１０の端部に設けられた紐状体（図示を省略）をカーテンウオール３０又はカーテンウオールの橋脚５０に固縛する。このとき捕集網１０の底面部１２が略円形状となるように捕集網１０の端部に設けられた紐状体を固定する。一方、捕集網の他端部（円錐頂部）は移送ポンプ２０に固定する。これにより海水中に円錐状の捕集網１０を設置することができる。捕集網１０を設置するときは、円錐の母線が直線となるように、一定の張力を有した状態で設置することが望ましい。これにより捕集網１０に流入したクラゲをスムーズに移送ポンプ２０側へ移動させることができる。なお、紐状体４０、６０がなくても捕集網１０を設置することは可能であるから、紐状体４０、６０は必ずしも必要ではない。
【００２４】
このように捕集網１０を設置することで、捕集網１０は海水の流れに沿って開口面積が減少する。これより、捕集網１０に流入したクラゲは、自然に移送ポンプ２０側に移動する。また捕集網１０は、捕集網１０を構成する糸のうち円錐の母線に交差する糸１３の本数が、円錐の母線方向の糸１４の本数に比較して少ないことが好ましい。このような構成を採用することで捕集網１０に取り込まれたクラゲは、捕集網１０の糸に引っかからず、スムーズに移送ポンプ２０側に移動することができる。
【００２５】
移送ポンプ２０は、捕集網１０で捕集されたクラゲを移送するためのものであり、沈まないようにフロート２１を備える。フロート２１としては、ウレタン製のフロートが例示される。また移送ポンプ２０は、一端を紐状体４０、６０及び捕集網１０と連結し、他端が紐状体７０を介して陸上又は海上固定物８０に固定されている。これらにより、移送ポンプ２０は、海水中に沈むことなく、ほぼ一定の位置に保持される。また、一端を移送ポンプ２０に固定された紐状体７０は、伸縮可能な弾性体７１を介して陸上又は海上固定物８０に固定されるので、潮位が変動しても移送ポンプ２０は、ほぼ一定の位置に保持される。弾性体７１としては、ゴム製の弾性体、バネなどが例示される。
【００２６】
移送ポンプ２０の型式は特に限定されない。クラゲを移送可能な海水中で使用できるポンプであればよく、例えばカッター機能を有する水中ポンプが例示される。移送ポンプ２０には、吸入部２２に円錐形状のガイド２３が設けられており、これに捕集網１０の円錐頂部を接続することで、移送ポンプ２０と捕集網１０とを連結することができる。吸入部２２に設けられた円錐形状のガイド２３は、少なくとも一部を海水中に沈下させているため、移送ポンプ２０は、海水を吸引することが可能であり、移送ポンプ２０が焼き付くことはない。移送ポンプ２０の吐出部２４には、吐出管２５が接続されているので、クラゲをクラゲピットに移送することができる。
【００２７】
上記のように構成されたクラゲ捕集回収装置１は、次のように使用することができる。移送ポンプ２０を起動すると、吸入部２２から海水を吸い込む。海水を吸い込むことで捕集網１０内の海水に流れが生じ、捕集されたクラゲも海水と一緒に移送ポンプ２０に吸引され、吐出管２５を通じてクラゲピットに移送される。移送されたクラゲは回収され、産業廃棄物として処理される。このとき捕集網１０が海水の流れ方向に沿って設置され、また捕集網１０も円錐状に形成されているので、効率的にクラゲを回収することができる。
【００２８】
以上のように本発明のクラゲ捕集回収装置１は、構成が非常に簡単であり安価に製造することができる。また装置の取付要領、使用方法も簡単であり、本クラゲ捕集回収装置１を用いて容易にクラゲの捕集回収を行うことができる。本発明のクラゲ捕集回収装置１は、単独で使用し、クラゲを捕集回収することが可能なことは上記の通りであるが、他のクラゲ捕集回収装置と一緒に使用することももちろん可能である。
【００２９】
図２は本発明の他の実施形態としてのクラゲ捕集回収装置１００の概略的構成を示す側面図である。なお、図２は、本発明の概略的構成を示す図であり、すべてが同一の縮尺で記載されているわけではない。クラゲ捕集回収装置１００は、クラゲ捕集回収装置１と、除塵装置１１０とを主に構成されている。クラゲ捕集回収装置１は、図１に示したクラゲ捕集回収装置１であり、カーテンウオール３０内に設置されたクラゲ捕集回収装置１の下流側には、大きな浮遊物、異物が取水路に流入するのを防止する固定スクリーン１０１が配設されている。さらに固定スクリーン１０１の下流には、取水口ゲート１０２が設けられている。
【００３０】
除塵装置１１０は、取水口ゲート１０２の下流側の取水路入口近傍に設置されている。除塵装置１１０は、取水（海水）と一緒に流入するクラゲを捕集回収する装置である。除塵装置１１０の型式等は特に限定されない。例えばロータリースクリーン式の除塵装置１１０を使用することができる。ロータリースクリーン式除塵装置１１０は、取水口の全幅をカバーできるように設置され、ロータリースクリーンの一端１１１は、海水中に位置している。スクリーンの外側にはバケットが設けられており、１０ｍｍ程度の大きさの目開きを有するスクリーンでクラゲを回収し、クラゲピット（図示を省略）に回収する。
【００３１】
上記のように構成されたクラゲ捕集回収装置１００は、次のように使用することができる。クラゲ捕集回収装置１の移送ポンプ２０を起動すると、吸入部２２から海水を吸い込む。海水を吸い込むことで捕集網１０内の海水に流れが生じ、捕集されたクラゲも海水と一緒に移送ポンプ２０に吸引され、クラゲは、吐出管２５を通じてクラゲピット（図示を省略）へ移送される。移送されたクラゲは回収され、産業廃棄物として処理される。クラゲ捕集回収装置１で捕集回収されなかったクラゲは、固定スクリーン１０１をすり抜けるものの、固定スクリーン１０１の下流側に設置された除塵装置１１０で捕集回収される。除塵装置１１０で回収されたクラゲもクラゲピットに集められ、産業廃棄物として処分される。
【００３２】
本クラゲ捕集回収装置１００は、クラゲ捕集回収装置１と除塵装置１１０とを有するので、クラゲを効率的に回収することができる。例えば、クラゲの到来量が少ない場合は、クラゲ捕集回収装置１のみを稼働させ、多量のクラゲが到来した場合は、クラゲ捕集回収装置１と除塵装置１１０とを同時に稼働させる。これにより、除塵装置１１０の処理能力をクラゲの異常到来量（多量の到来量）に併せて設計、製造する必要がなくなり、クラゲ捕集回収装置のトータルコストを下げることができる。
【００３３】
また、除塵装置１１０は、既設の除塵装置と基本的に同一であるので、既設の除塵装置にも容易に本発明を適用することができる。クラゲ捕集回収装置１を、既存のクラゲ捕集回収装置、又はクラゲ捕集処理装置の補助装置として使用させれば、既存のクラゲ捕集回収装置、又はクラゲ捕集処理装置の処理能力を高めることなく、クラゲの異常到来にも対応することができる。
【図面の簡単な説明】
【００３４】
【図１】本発明の実施の一形態としてのクラゲ捕集回収装置１の概略的構成を示す側面図である。
【図２】本発明の他の実施形態としてのクラゲ捕集回収装置１００の概略的構成を示す側面図である。
【符号の説明】
【００３５】
１、１００  クラゲ捕集回収装置
１０        捕集網
１１        捕集網頂部
１２        捕集網底面部
１３、１４  捕集網の糸
２０        移送ポンプ
２１        フロート
２２        移送ポンプ吸入部
３０        カーテンウオール
５０        橋脚
７０        紐状体
７１        弾性体
８０        海上固定物
１１０      除塵装置
【図１】
2007205040.tif 000003
【図２】
2007205040.tif 000004